(57)【要約】【課題】不燃性のグローブ13を用いた照明器具11を提供する。【解決手段】融点が高いガラス繊維を基材とした透光性を有する不燃性材料でグローブ13を形成する。グローブ13は、ガラス繊維を基材とする縦方向における断面形状が曲面状のグローブ本体20の両端部に、同じくガラス繊維を基材とする端板21を接着剤で貼り合わせて形成するため、グローブ13全体の意匠性が低下しない。グローブ本体20の両端部が端板21の形状に沿った断面形状を確保でき、グローブ本体20の曲面形状を確保しやすい。【選択図】図１
2008027751.tif 000002
【特許請求の範囲】
【請求項１】
器具本体と；
ガラス繊維を基材とした透光性を有する長尺状のシートで縦方向における断面形状が曲面状に形成されたグローブ本体、ガラス繊維を基材とした透光性を有するシートでグローブ本体の断面形状に沿った形状に形成されるとともにグローブ本体の両端部に接着剤で貼り合わされた端板を備えたグローブと；
を具備していることを特徴とする照明器具。
【発明の詳細な説明】
【技術分野】
【０００１】
本発明は、グローブを備えた照明器具に関する。
【背景技術】
【０００２】
従来、例えば電車の車内灯に用いられる照明器具は、車両の天井側に設置される器具本体を備え、この器具本体の下面側に、直管形蛍光ランプ等が配置されているとともに、器具本体の下面側の直管形蛍光ランプ等を覆うグローブが開閉可能に取り付けられている。
【０００３】
グローブは、透光性を有する合成樹脂材料で一体に形成されている（例えば、特許文献１参照。）。グローブの材料には、一般的に、透光性があり、成形性がよいアクリル樹脂やポリカーボネート樹脂が多く用いられている。
【特許文献１】特開２００２−１０９９４４号公報（第５頁、図１−２）
【発明の開示】
【発明が解決しようとする課題】
【０００４】
しかしながら、従来、一般的にグローブの材料として多く用いられているアクリル樹脂やポリカーボネート樹脂は、火災発生時、外からの燃焼に対して難燃レベルは高いものではあるが、不燃の材料ではないため、稀に燃焼してしまうおそれがある。
【０００５】
本発明は、このような点に鑑みなされたもので、不燃性のグローブを用いた照明器具を提供することを目的とする。
【課題を解決するための手段】
【０００６】
請求項１記載の照明器具は、器具本体と；ガラス繊維を基材とした透光性を有する長尺状のシートで縦方向における断面形状が曲面状に形成されたグローブ本体、ガラス繊維を基材とした透光性を有するシートでグローブ本体の断面形状に沿った形状に形成されるとともにグローブ本体の両端部に接着剤で貼り合わされた端板を備えたグローブと；を具備しているものである。
【０００７】
例えば、照明器具が電車の車内灯に用いられる場合、器具本体が長尺で車両の天井側に車両の長手方向に沿って配設され、器具本体の下面側にソケットやこのソケットに交換可能に装着される直管形蛍光ランプ等が配置され、また、器具本体の上面等に直管形蛍光ランプを点灯させる点灯装置が配設される。さらに、グローブは、器具本体の長手方向と交差する一側をヒンジによって回動可能に取り付け、他側には器具本体に対して閉じた状態で係止するラッチ機構を設けるようにして、器具本体に開閉可能としてもよい。そして、グローブは、融点の高いガラス繊維を基材とすることで不燃性が得られる。
【発明の効果】
【０００８】
請求項１記載の照明器具によれば、融点が高いガラス繊維を基材とした透光性を有する材料でグローブを形成することにより、従来のアクリル樹脂やポリカーボネート樹脂に置き換えて、不燃性のグローブを用いた照明器具を提供できる。さらに、ガラス繊維を基材とする縦方向における断面形状が曲面状のグローブ本体の両端部に、同じくガラス繊維を基材とする端板を接着剤で貼り合わせることにより、グローブ全体の意匠性が低下しないとともに、グローブ本体の両端部が端板の形状に沿った断面形状を確保できるようになって、グローブ本体全体の曲面形状を確保しやすくできる。
【発明を実施するための最良の形態】
【０００９】
以下、本発明の一実施の形態を図面を参照して説明する。
【００１０】
図１は照明器具の斜視図、図２は照明器具のグローブを内面方向から見た斜視図である。
【００１１】
図１に示すように、照明器具11は、例えば、電車の車内灯として用いられるもので、長尺に形成されていて、車両の天井側にその車両の長手方向に沿って配設される。
【００１２】
照明器具11は、器具本体12、この器具本体12の下面側に開閉可能に配設されたグローブ13、およびこのグローブ13を器具本体12に対して開閉可能に取り付ける枠体14を備えている。
【００１３】
器具本体12は、車両の天井側に取り付けられる本体部16、およびこの本体部16の長手方向の両端を閉塞する端板部17を有している。これら本体部16および端板部17は例えばカラー鋼板によって形成されており、器具本体12内の下面が反射面として形成されている。器具本体12内の下面両端部には図示しないソケットが対向して配設され、これらソケット間に図示しない直管形蛍光ランプが接続配置されている。器具本体12の上面には直管形蛍光ランプを点灯させる点灯装置18が配設されている。
【００１４】
また、グローブ13は、グローブ本体20、およびこのグローブ本体20の長手方向の両端を閉塞する端板21を備えている。
【００１５】
グローブ本体20は、融点の高いガラス繊維を基材とした透光性を有する長尺状のシートで縦方向における断面形状が曲面状に成形されることにより形成されている。グローブ本体20の長手方向と交差する両側縁には外側方へ向けて突出するように縁部22が折曲形成され、この両側の縁部22を利用して枠体14に取り付けられる。
【００１６】
端板21は、グローブ本体20と同じ材料であって、融点の高いガラス繊維を基材とした透光性を有するシートが用いられ、グローブ本体20の断面形状に沿った形状である略半円状に形成されている。
【００１７】
グローブ本体20と端板21とは、補助部材23を介して接着剤で貼り合わされている。補助部材23は、グローブ本体20の所望の断面形状に対応して湾曲した棒状に形成されている。この補助部材23の外周面が接着剤を介在してグローブ本体20の端部内面に接着され、補助部材23の外端面が接着剤を介在して端板21の周縁部内面に接着され、補助部材を介してグローブ本体20と端板21と貼り合わせて形状保持している。
【００１８】
また、枠体14は、枠形状に形成されており、グローブ本体20の縁部22を介してグローブ13を保持する。枠体14の長手方向と交差する一側は、図示しない複数のヒンジによって器具本体12に回動可能に取り付けられている。枠体14の長手方向と交差する他側には、枠体14を器具本体12に閉じた際に器具本体12に着脱可能に係止する図示しないラッチ機構が配設されている。このラッチ機構の係止を解除することにより、グローブ13を器具本体12から開放することができる。
【００１９】
そして、融点が高いガラス繊維を基材とした透光性を有する不燃性材料でグローブ13を形成することにより、従来のアクリル樹脂やポリカーボネート樹脂に置き換えて、不燃性のグローブ13を用いた照明器具11を提供できる。
【００２０】
さらに、グローブ13は、ガラス繊維を基材とするグローブ本体20の両端部に、同じくガラス繊維を基材とする端板21を接着剤で貼り合わせることにより、グローブ13全体の意匠性が低下しないとともに、グローブ本体20の両端部が端板21の形状に沿った断面形状を確保できるようになって、グローブ本体20全体の曲面形状を確保しやすくできる。
【図面の簡単な説明】
【００２１】
【図１】本発明の一実施の形態を示す照明器具の斜視図である。
【図２】同上照明器具のグローブを内面方向から見た斜視図である。
【符号の説明】
【００２２】
11    照明器具
12    器具本体
13    グローブ
20    グローブ本体
21    端板
【図１】
2008027751.tif 000003
【図２】
2008027751.tif 000004